【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
階層的に配列されたユーザインターフェースによって、表示スクリーンと複数のユーザ入力部とを含む個人用携帯無線デバイスとのユーザのやり取りを支援する方法であって、
ユーザ選択可能な項目の第１のリストを有する第１の階位のユーザインターフェースを表示し、前記ユーザ選択可能な項目の各々は、対応する第２の階位のユーザインターフェース上に表示される第２のリストのユーザ選択可能な項目の内の少なくとも１つを指し示し、
前記第１のリストから、前記ユーザ選択可能な項目の内の１項目のユーザ選択を受け付け、前記ユーザ選択は複数のユーザ入力部から選択された少なくとも１つのユーザ入力部からユーザ入力を受け取ることによって提供され、
前記第１のリストからの前記ユーザ選択可能な項目の内の前記選択された１項目に基づいて、前記第２の階位のユーザインターフェースに自動的に移行して表示すること、
を備え、
前記第２の階位のユーザーインターフェースは、表示される際、前記第１の階位のユーザーインターフェースの代わりに表示され、前記第２のリストの前記ユーザ選択可能な項目の各々は、対応する第３の階位のユーザインターフェースに表示される第３のリストのユーザ選択可能な項目の内の少なくとも１項目を指し示し、前記第２のリストの前記ユーザ選択可能な項目の各々は、前記第１のリストの前記ユーザ選択可能な項目とは異なる、方法。
【請求項２】
請求項１に記載の方法において、前記個人用携帯無線通信デバイスはメモリデバイスを備え、前記複数のリンクされた表示スクリーンは、前記グラフィカルユーザインターフェースのホームスクリーンであるメインメニュースクリーンであって、ユーザが、少なくとも、選択可能なマスタープレイリスト項目、選択可能なアーティスト項目のリスト、選択可能なすべてのアルバム項目のリスト、および、前記メモリデバイスに格納された前記デジタルオーディオファイルに対応する選択可能な曲項目のリストを見てやり取りするためのメインメニュースクリーンを含む、方法。
【請求項３】
請求項２に記載の方法はさらに、
前記マスタープレイリストスクリーン項目のユーザ選択を受け付け、
前記メモリデバイスに格納されたすべてのプレイリストの名前に対応する選択可能な項目を挙げるプレイリスツスクリーンを表示すること、
を備える、方法。
【請求項４】
請求項３に記載の方法はさらに、
前記プレイリストスクリーンの前記項目の内の、選択されたプレイリストに対応する１項目のユーザ選択を受け付け、
前記選択されたプレイリストに対応するプレイリストスクリーンであって、再生される順序で、前記選択されたプレイリスト内の曲の名前に対応する選択可能な項目を挙げるリストを含むプレイリストスクリーンを表示すること、
を備える、方法。
【請求項５】
請求項２に記載の方法はさらに、
前記選択可能なアーティスト項目の内の１項目のユーザ選択を受け付け、
前記メモリデバイスに格納されたすべてのアーティストの名前に対応する選択可能な項目を挙げるすべてのアーティストスクリーンを表示すること、
を備える、方法。
【請求項６】
請求項５に記載の方法はさらに、
前記すべてのアーティストスクリーンの前記項目の内の、選択されたアーティストに対応する１項目のユーザ選択を受け付け、
前記選択されたアーティストに対応するアーティストスクリーンであって、再生される順序で、前記選択されたアーティストに対応するメモリデバイスに格納された曲の名前に対応する選択可能な項目を挙げるリストを含むアーティストスクリーンを表示すること、
を備える、方法。
【請求項７】
請求項２に記載の方法はさらに、
前記すべてのアルバム項目の内の１項目のユーザ選択を受け付け、
前記メモリデバイスに格納されているすべてのアルバムの名前に対応する選択可能な項目を挙げるアルバムスクリーンを表示すること、
を備える、方法。
【請求項８】
請求項７に記載の方法はさらに、
前記アルバムスクリーンの前記項目の内の、選択されたアルバムに対応する１項目のユーザ選択を受け付け、
前記選択されたアルバムに対応するアルバムスクリーンであって、再生される順序で、前記選択されたアルバム内の曲の名前に対応する選択可能な項目を挙げるリストを含むアルバムスクリーンを表示すること、
を備える、方法。
【請求項９】
請求項８に記載の方法はさらに、
選択されるアルバムに対応する前記選択されたアルバムスクリーンにおける選択可能な項目のユーザ選択を受け付け、
選択されたアルバムに対応する前記メモリデバイスに格納されているすべての曲の名前に対応する選択可能な項目を挙げる曲スクリーンを表示すること、
を備える、方法。
【請求項１０】
請求項８に記載の方法はさらに、
前記曲スクリーンの前記項目の内の、選択された曲に対応する１項目のユーザ選択を受け付け、
前記選択された曲に関連する前記再生中スクリーンを表示すること、
を備える、方法。
【請求項１１】
請求項１に記載の方法において、前記第２のリストにおけるユーザが選択可能な各項目はさらに、前記第１のリスト中における前記ユーザが選択可能な項目の内の対応する項目を指し示す、方法。
【請求項１２】
請求項１に記載の方法において、前記第３の階位のユーザインターフェースの表示は、前記第２のリストから選択されたユーザが選択可能な項目のみならず、前記第１のリストから選択されたユーザが選択可能な項目に基づいて実行される、方法。
【請求項１３】
ディスプレイと複数のユーザ入力部とを備える携帯無線通信デバイスとやり取りするユーザを支援する方法であって、 
前記携帯無線通信デバイスのためのユーザインターフェースであって、複数のリンクされた表示スクリーンを備えるユーザインターフェースを準備し
前記ディスプレイ上における前記リンクされた表示スクリーンの内の１つを現行表示スクリーンとして表示し、
選択されたユーザ入力部の操作に応じてユーザ入力を受け付け、
前記現行表示スクリーンと直前に表示された前回表示スクリーンとに基づいて、次の表示スクリーン上に、結果の動作を表示すること、
を備える、方法。
【請求項１４】
請求項１３に記載の方法において、前記ユーザ入力部から選択された１つのユーザ入力部からの前記ユーザ入力は前記選択されたユーザ入力部の押下を含み、
前記方法はさらに、
前記選択されたユーザ入力部の押下の継続時間を決定し、
前記継続時間が、所定の時間よりも長い場合に、前記結果の動作に対して加速の調節を施すこと、
を備える、方法。
【請求項１５】
請求項１４に記載の方法において、第１の階位のユーザインターフェースにおける前記ユーザが選択可能な項目は、前記ディスプレイ上に表示された選択可能なアイコンである、方法。
【請求項１６】
請求項１５に記載の方法において、前記複数のユーザ入力部は、表示されている前記選択可能なアイコン間のナビゲートに用いられるナビゲーション信号を供給するよう構成された複数のナビゲーションキーを含む、方法。
【請求項１７】
請求項１６に記載の方法において、前記複数のユーザ入力部は、キーパッド入力信号を供給するよう構成された複数のキーパッドキーを含む、方法。
【請求項１８】
請求項１７に記載の方法において、前記携帯無線通信デバイスは、携帯電話と、携帯情報端末（ＰＤＡ）と、デジタルマルチメディアプレーヤとを含む群から選択される、方法。
【請求項１９】
請求項１８に記載の方法において、前記キーパッド入力信号は、メモリデバイスを備える前記携帯無線通信デバイスによる通信セッションを開始するのに適している、方法。
【請求項２０】
請求項１９に記載の方法において携帯無線通信デバイスはメモリデバイスを備え、
前記方法はさらに、
デジタルファイルのダウンロード動作を開始するために構成されている特定のキーパッドの１つのキーパッドのキー押下を受け付け、
前記特定のキーパッドの１つのキーパッドのキー押下に応じて、前記デジタルデータファイルをダウンロードし、
前記デジタルデータファイルを前記メモリデバイスに格納すること、
を備える、方法。